(57)【要約】      （修正有）【課題】タップ操作及び全面押し操作の両立が可能な電極サイズの操作手段を有する電子機器を提供する。【解決手段】デジタルカメラ１００において、検知手段３０２のタッチ検知面は、スライド操作の方向において、接眼部１６側から順に、第１のタッチ検知面３０２ａ、第２のタッチ検知面３０２ｂ、第３のタッチ検知面３０２ｃに分割される。検知手段３０２のタッチ検知面のスライド操作の方向の長さをＷ１、第２のタッチ検知面３０２ｂのスライド操作の方向の長さをＷ２としたとき、１．４≦Ｗ１／Ｗ２≦６．０の関係を満たす。【選択図】図１０
2020004295.tif 000002
【特許請求の範囲】
【請求項１】
タッチ操作及びスライド操作の検知手段を備えた第１の操作部材を有する電子機器であって、
前記タッチ操作が、第１の所定面積以上、且つ前記第１の所定面積よりも大きい第２の所定面積以下の面積で前記検知手段のタッチ検知面に接触した場合、第１の機能を実行し、
前記タッチ操作が、前記第２の所定面積より大きい面積で前記検知手段のタッチ検知面に接触した場合、前記第１の機能と異なる第２の機能を実行し、
前記検知手段のタッチ検知面は、前記スライド操作の方向において、順に、第１のタッチ検知面、第２のタッチ検知面、第３のタッチ検知面に分割され、
前記検知手段のタッチ検知面のスライド操作の方向の長さをＷ１、前記第２のタッチ検知面のスライド操作の方向の長さをＷ２としたとき、
１．４≦Ｗ１／Ｗ２≦６．０
の関係を満たすことを特徴とする電子機器。
【請求項２】
前記検知手段のタッチ検知面のスライド操作の方向の長さＷ１は、
７ｍｍ≦Ｗ１≦３０ｍｍ
を満たすことを特徴とする請求項１に記載の電子機器。
【請求項３】
前記第２のタッチ検知面のスライド操作の方向の長さＷ２は、
５ｍｍ≦Ｗ２≦２０ｍｍ
を満たすことを特徴とする請求項１又は２に記載の電子機器。
【請求項４】
前記第２のタッチ検知面のスライド操作の方向の長さＷ２、前記第２のタッチ検知面のスライド操作の方向と直交する方向の長さＷ３としたとき、
Ｗ２≧Ｗ３
の関係を満たすことを特徴とする請求項１乃至３の何れか一項に記載の電子機器。
【請求項５】
前記第２のタッチ検知面と前記第１のタッチ検知面は、前記スライド操作の方向にオーバラップしており、
前記第２のタッチ検知面と前記第１のタッチ検知面のスライド操作の方向のオーバラップ量をＷ４、前記第２のタッチ検知面のスライド操作の方向と直交する方向の長さＷ３としたとき、
１．８≦Ｗ３／Ｗ４≦２．２
の関係を満たすことを特徴とする請求項１乃至４の何れか一項に記載の電子機器。
【請求項６】
前記第２のタッチ検知面と前記第３のタッチ検知面は、前記スライド操作の方向にオーバラップしており、
前記第２のタッチ検知面と前記第３のタッチ検知面のスライド操作の方向のオーバラップ量をＷ５、前記第２のタッチ検知面のスライド操作の方向と直交する方向の長さＷ３としたとき、
１．８≦Ｗ３／Ｗ５≦２．２
の関係を満たすことを特徴とする請求項１乃至５の何れか一項に記載の電子機器。
【請求項７】
前記検知手段のタッチ検知面のスライド操作の方向の長さをＷ１、前記第２のタッチ検知面のスライド操作の方向の長さをＷ２としたとき、
２≦Ｗ１／Ｗ２≦３
の関係が成り立つことを特徴とする請求項１乃至６の何れか一項に電子機器。
【発明の詳細な説明】
【技術分野】
【０００１】
本発明は、タッチ機能を備える電子機器に関し、タッチ検知を行う検知面のサイズに関する発明である。
【背景技術】
【０００２】
従来、撮像装置には十字キーやダイヤルなどの設定項目を選択するための操作部材が搭載されている。
【０００３】
近年は、表示デバイスとしてタッチパネルを搭載する製品が普及しており、ユーザーは表示された設定項目をタッチするだけで、その項目を選択／設定することが可能となる。
【０００４】
また、操作部材としてタッチセンサを搭載する製品もあり、撮像装置において動画撮影を行う場合のユーザーインターフェースとしても期待が高まっている。
【０００５】
従来のメカ方式の操作部材で動画撮影中の設定を行うと操作音が雑音として記録されてしまうが、タッチセンサを用いた操作部材では記録される操作音を低減することができる。
【０００６】
タッチパネル、タッチセンサの方式には静電容量方式、抵抗膜方式、光学方式等の方式があり、いずれの方式にも短所、長所があり、用途に応じて広く用いられている。
【０００７】
その中でも、静電容量方式は精度よく検出することができ、多くの機器に採用されている。
【０００８】
静電容量方式において、タッチ検知のためにタッチ検知電極を設けてタッチ検知をおこなっている。
【０００９】
特許文献１では、表示画面の周辺にタッチ操作部材を配置する。
【００１０】
よって、タッチパネル使用時に表示画面に直接指が触れて画面が汚れてしまう課題を解消すると共に、メカ操作部材削減による機器自体の小型化、薄型化を実現し、かつ操作性を向上させる技術が開示されている。
【００１１】
また、特許文献２では、タッチの入力位置を示す入力用パターンを表示装置の端部に指面積より小さく表示し、かつ表示部の外側にタッチ検知用の電極を備えることで、表示部にタッチ検知手段を設けずに、タッチを行っている。
【先行技術文献】
【特許文献】
【００１２】
【特許文献１】特開２００８−２３６７６５号公報
【特許文献２】特開２０１３−０２５５０３公報
【発明の概要】
【発明が解決しようとする課題】
【００１３】
しかしながら、上述の特許文献１に開示された従来技術では、表示部周辺の外装にタッチ操作部材を配置しているが、タッチ検知領域のサイズについての記載がない。
【００１４】
また、特許文献２では、タッチの入力位置を示す入力用パターンを指面積と比較しているが、タッチ検知を行う電極サイズが不明確である。
【００１５】
タッチ操作を検知する電極サイズが大きいほど、タップ操作やスライド操作時の操作性は向上するが、電極サイズが大きくなるとカメラサイズも大型化してしまう。
【００１６】
また、タッチ操作やスライド操作の他に電極全てに触れる全面押しなる操作も提案されている。しかし、電極サイズが大きくなると、全面押しの操作性も悪化してしまう。
【００１７】
一方で、電極サイズが小さいほど、カメラの小型化や全面押しの操作性は向上するが、タップ操作やスライド操作の操作性が損なわれてしまう。
【００１８】
また、全部の電極に触れる全面押しがやり易くなるが、その反面通常のタップ操作時に誤って全面押しが効いてしまうなどの問題が発生する恐れがある。よって、タッチ検知に用いる電極のサイズは非常に重要である。
【００１９】
理想的な電極サイズとは、タップ操作時に押したい一部の電極しか触れないサイズであり、かつ全面押し時に容易に全ての電極に触れられるサイズである。
【００２０】
そこで、本発明では、タップ操作やスライド操作時の操作性に優れたタッチ検知を実現した電子機器を提供することを目的とする。
【課題を解決するための手段】
【００２１】
上記目的を達成するために、本発明の電子機器は、タッチ操作及びスライド操作の検知手段を備えた第１の操作部材を有する電子機器であって、
前記タッチ操作が、第１の所定面積以上、且つ前記第１の所定面積よりも大きい第２の所定面積以下の面積で前記検知手段のタッチ検知面に接触した場合、第１の機能を実行し、
前記タッチ操作が、前記第２の所定面積より大きい面積で前記検知手段のタッチ検知面に接触した場合、前記第１の機能と異なる第２の機能を実行し、
前記検知手段のタッチ検知面は、前記スライド操作の方向において、順に、第１のタッチ検知面、第２のタッチ検知面、第３のタッチ検知面に分割され、
前記検知手段のタッチ検知面のスライド操作の方向の長さをＷ１、前記第２のタッチ検知面のスライド操作の方向の長さをＷ２としたとき、
１．４≦Ｗ１／Ｗ２≦６．０
の関係を満たすことを特徴とする。
【発明の効果】
【００２２】
本発明によれば、誤操作なくタップ操作及び全面押し操作の両立が可能な検知面のサイズを実現した電子機器を提供することができる。
【図面の簡単な説明】
【００２３】
【図１】デジタルカメラ１００の外観図である。
【図２】デジタルカメラ１００のハードウェア構成例を示す概略ブロック図である。
【図３】実施例１のデジタルカメラ１００の背面図である。
【図４】実施例１のタッチバー８２を備えた上カバー３１０を内側からみた図である。
【図５】実施例１のタップ操作の概念図である。
【図６】実施例１のスライド操作の概念図である。
【図７】実施例１の全面押し操作の概念図である。
【図８】実施例１の不用意な全面押し操作防止の電極サイズの概念図である。
【図９】実施例１の全面押し操作可能な電極サイズの概念図である。
【図１０】実施例２のデジタルカメラ１００の背面図である。
【図１１】タッチセンサ電極３０２の形状例である。
【発明を実施するための形態】
【００２４】
以下、図面を参照して本発明の好適な実施形態を説明する。
【００２５】
図１（ａ）、（ｂ）に本発明を適用可能な装置の一例としてのデジタルカメラ１００の外観図を示す。
【００２６】
図１（ａ）はデジタルカメラ１００の前面斜視図であり、図１（ｂ）はデジタルカメラ１００の背面斜視図である。図１において、表示部２８は画像や各種情報を表示する、カメラ背面に設けられた表示部である。
【００２７】
タッチパネル７０ａは、表示部２８の表示面（操作面）に対するタッチ操作を検出することができる。
【００２８】
ファインダー外表示部４３は、カメラ上面に設けられた表示部であり、シャッター速度や絞りをはじめとするカメラの様々な設定値が表示される。
【００２９】
シャッターボタン６１は撮影指示を行うための操作部である。モード切替スイッチ６０は各種モードを切り替えるための操作部である。
【００３０】
端子カバー４０は外部機器との接続ケーブルとデジタルカメラ１００とを接続する接続ケーブル等のコネクタ（不図示）を保護するカバーである。
【００３１】
メイン電子ダイヤル７１は操作部７０に含まれる回転操作部材であり、このメイン電子ダイヤル７１を回すことで、シャッター速度や絞りなどの設定値の変更等が行える。
【００３２】
電源スイッチ７２はデジタルカメラ１００の電源のＯＮ及びＯＦＦを切り替える操作部材である。
【００３３】
サブ電子ダイヤル７３は操作部７０に含まれ、操作部７０に含まれる回転操作部材であり、選択枠の移動や画像送りなどを行える。
【００３４】
十字キー７４は操作部７０に含まれ、上、下、左、右部分をそれぞれ押し込み可能な十字キー（４方向キー）である。
【００３５】
十字キー７４の押した部分に応じた操作が可能である。
【００３６】
ＳＥＴボタン７５は操作部７０に含まれ、押しボタンであり、主に選択項目の決定などに用いられる。
【００３７】
動画ボタン７６は、動画撮影（記録）の開始、停止の指示に用いられる。ＡＥロックボタン７７は操作部７０に含まれ、撮影待機状態で押下することにより、露出状態を固定することができる。
【００３８】
拡大ボタン７８は操作部７０に含まれ、撮影モードのライブビュー表示において拡大モードのＯＮ、ＯＦＦを行うための操作ボタンである。
【００３９】
拡大モードをＯＮとしてからメイン電子ダイヤル７１を操作することにより、ＬＶ画像の拡大、縮小を行える。
【００４０】
再生モードにおいては再生画像を拡大し、拡大率を増加させるための拡大ボタンとして機能する。
【００４１】
再生ボタン７９は操作部７０に含まれ、撮影モードと再生モードとを切り替える操作ボタンである。
【００４２】
撮影モード中に再生ボタン７９を押下することで再生モードに移行し、記録媒体２００に記録された画像のうち最新の画像を表示部２８に表示させることができる。
【００４３】
メニューボタン８１は、操作部７０に含まれ、メニューボタン８１が押されると各種の設定可能なメニュー画面が表示部２８に表示される。
【００４４】
ユーザーは、表示部２８に表示されたメニュー画面と、十字キー７４やＳＥＴボタン７５を用いて直感的に各種設定を行うことができる。
【００４５】
タッチバー８２はタッチ操作を受け付けることが可能なライン状のタッチ操作部材（ラインタッチセンサー）である。
【００４６】
グリップ部９０を握った右手の親指で操作可能な位置に配置されている。
【００４７】
そして、タッチバー８２に対するタップ操作（タッチして所定期間以内に移動せずに離す操作）、左右へのスライド操作（タッチした後、タッチしたままタッチ位置を移動する操作）などを受け付け可能である。
【００４８】
タッチバー８２はタッチパネル７０ａとは異なる操作部材であり、表示機能は備えていない。
【００４９】
通信端子１０はデジタルカメラ１００がレンズ側（着脱可能）と通信を行う為の通信端子である。
【００５０】
接眼部１６は、接眼ファインダー（覗き込み型のファインダー）の接眼部であり、ユーザーは、接眼部１６を介して内部のＥＶＦ２９に表示された映像を視認することができる。
【００５１】
接眼検知部５７は接眼部１６に撮影者が接眼しているか否かを検知する接眼検知センサーである。
【００５２】
蓋２０２は記録媒体２００を格納したスロットの蓋である。グリップ部９０は、ユーザーがデジタルカメラ１００を構えた際に右手で握りやすい形状とした保持部である。
【００５３】
グリップ部９０を右手の小指、薬指、中指で握ってデジタルカメラを保持した状態で、右手の人差指で操作可能な位置にシャッターボタン６１、メイン電子ダイヤル７１が配置されている。
【００５４】
また、同じ状態で、右手の親指で操作可能な位置に、サブ電子ダイヤル７３、タッチバー８２が配置されている。
【００５５】
図２は、本実施形態によるデジタルカメラ１００の構成例を示すブロック図である。図２において、レンズユニット１５０は、交換可能な撮影レンズを搭載するレンズユニットである。
【００５６】
レンズ１０３は通常、複数枚のレンズから構成されるが、ここでは簡略して一枚のレンズのみで示している。
【００５７】
通信端子６はレンズユニット１５０がデジタルカメラ１００側と通信を行う為の通信端子であり、通信端子１０はデジタルカメラ１００がレンズユニット１５０側と通信を行う為の通信端子である。
【００５８】
レンズユニット１５０は、この通信端子６，１０を介してシステム制御部５０と通信している。
【００５９】
そして、レンズユニット１５０は、内部のレンズシステム制御回路４によって絞り駆動回路２を介して絞り１の制御を行い、ＡＦ駆動回路３を介して、レンズ１０３の位置を変位させることで焦点を合わせる。
【００６０】
ＡＥセンサー１７は、レンズユニット１５０を通した被写体の輝度を測光する。
【００６１】
焦点検出部１１は、システム制御部５０にデフォーカス量情報を出力する。システム制御部５０はそれに基づいてレンズユニット１５０を制御し、位相差ＡＦを行う。
【００６２】
焦点検出部１１は、専用の位相差センサーでもよいし、撮像部２２の撮像面位相差センサーとして構成しても良い。
【００６３】
シャッター１０１は、システム制御部５０の制御で撮像部２２の露光時間を自由に制御できるフォーカルプレーンシャッターである。
【００６４】
撮像部２２は光学像を電気信号に変換するＣＣＤやＣＭＯＳ素子等で構成される撮像素子である。
【００６５】
Ａ／Ｄ変換器２３は、アナログ信号をデジタル信号に変換する。Ａ／Ｄ変換器２３は、撮像部２２から出力されるアナログ信号をデジタル信号に変換するために用いられる。
【００６６】
画像処理部２４は、Ａ／Ｄ変換器２３からのデータ、又は、メモリ制御部１５からのデータに対し所定の画素補間、縮小といったリサイズ処理や色変換処理を行う。
【００６７】
また、画像処理部２４では、撮像した画像データを用いて所定の演算処理を行う。画像処理部２４により得られた演算結果に基づいてシステム制御部５０が露光制御、測距制御を行う。
【００６８】
これにより、ＴＴＬ（スルー・ザ・レンズ）方式のＡＦ（オートフォーカス）処理、ＡＥ（自動露出）処理、ＥＦ（フラッシュプリ発光）処理が行われる。
【００６９】
画像処理部２４では更に、撮像した画像データを用いて所定の演算処理を行い、得られた演算結果に基づいてＴＴＬ方式のＡＷＢ（オートホワイトバランス）処理を行う。
【００７０】
Ａ／Ｄ変換器２３からの出力データは、画像処理部２４及びメモリ制御部１５を介して、或いは、メモリ制御部１５を介してメモリ３２に直接書き込まれる。
【００７１】
メモリ３２は、撮像部２２によって得られＡ／Ｄ変換器２３によりデジタルデータに変換された画像データや、表示部２８、ＥＶＦ２９に表示するための画像データを格納する。
【００７２】
メモリ３２は、所定枚数の静止画像や所定時間の動画像および音声を格納するのに十分な記憶容量を備えている。
【００７３】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８、ＥＶＦ２９に供給する。
【００７４】
こうして、メモリ３２に書き込まれた表示用の画像データはＤ／Ａ変換器１９を介して表示部２８、ＥＶＦ２９により表示される。
【００７５】
表示部２８、ＥＶＦ２９は、ＬＣＤや有機ＥＬ等の表示器上に、Ｄ／Ａ変換器１９からのアナログ信号に応じた表示を行う。
【００７６】
Ａ／Ｄ変換器２３によって一度Ａ／Ｄ変換されメモリ３２に蓄積されたデジタル信号をＤ／Ａ変換器１９においてアナログ変換し、表示部２８またはＥＶＦ２９に逐次転送して表示する。
【００７７】
それにより、ライブビュー表示（ＬＶ表示）を行える。
【００７８】
以下、ライブビューで表示される画像をライブビュー画像（ＬＶ画像）と称する。
【００７９】
ファインダー外表示部４３には、ファインダー外表示部駆動回路４４を介して、シャッター速度や絞りをはじめとするカメラの様々な設定値が表示される。
【００８０】
不揮発性メモリ５６は、電気的に消去・記録可能なメモリであり、例えばＥＥＰＲＯＭ等が用いられる。
【００８１】
不揮発性メモリ５６には、システム制御部５０の動作用の定数、プログラム等が記憶される。
【００８２】
システム制御部５０は、少なくとも１つのプロセッサーまたは回路からなる制御部であり、デジタルカメラ１００全体を制御する。
【００８３】
前述した不揮発性メモリ５６に記録されたプログラムを実行することで、後述する本実施形態の各処理を実現する。
【００８４】
システムメモリ５２には、例えばＲＡＭが用いられ、システム制御部５０の動作用の定数、変数、不揮発性メモリ５６から読み出したプログラム等が展開される。
【００８５】
また、システム制御部５０はメモリ３２、Ｄ／Ａ変換器１９、表示部２８等を制御することにより表示制御も行う。
【００８６】
システムタイマー５３は各種制御に用いる時間や、内蔵された時計の時間を計測する計時部である。
【００８７】
モード切替スイッチ６０、第１シャッタースイッチ６２、第２シャッタースイッチ６４、操作部７０はシステム制御部５０に各種の動作指示を入力するための操作手段である。
【００８８】
モード切替スイッチ６０は、システム制御部５０の動作モードを静止画撮影モード、動画撮影モード、再生モード等のいずれかに切り替える。
【００８９】
静止画撮影モードに含まれるモードとして、オート撮影モード、オートシーン判別モード、マニュアルモード、絞り優先モード（Ａｖモード）、シャッター速度優先モード（Ｔｖモード）、プログラムＡＥモード（Ｐモード）、がある。
【００９０】
また、撮影シーン別の撮影設定となる各種シーンモード、カスタムモード等がある。モード切替スイッチ６０より、ユーザーは、これらのモードのいずれかに直接切り替えることができる。
【００９１】
あるいは、モード切替スイッチ６０で撮影モードの一覧画面に一旦切り換えた後に、表示された複数のモードのいずれかを選択し、他の操作部材を用いて切り替えるようにしてもよい。
【００９２】
同様に、動画撮影モードにも複数のモードが含まれていてもよい。
【００９３】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。
【００９４】
第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の撮影準備動作を開始する。
【００９５】
第２シャッタースイッチ６４は、シャッターボタン６１の操作完了、いわゆる全押し（撮影指示）でＯＮとなり、第２シャッタースイッチ信号ＳＷ２を発生する。
【００９６】
システム制御部５０は、第２シャッタースイッチ信号ＳＷ２により、撮像部２２からの信号読み出しから記録媒体２００に撮像された画像を画像ファイルとして書き込むまでの一連の撮影処理の動作を開始する。
【００９７】
操作部７０は、ユーザーからの操作を受け付ける入力部としての各種操作部材である。操作部７０には、少なくとも以下の操作部が含まれる。
【００９８】
操作部の例として、シャッターボタン６１、メイン電子ダイヤル７１、電源スイッチ７２、サブ電子ダイヤル７３、十字キー７４、ＳＥＴボタン７５が挙げられる。
【００９９】
また、動画ボタン７６、ＡＦロックボタン７７、拡大ボタン７８、再生ボタン７９、メニューボタン８１、タッチバー８２が挙げられる。
【０１００】
ユーザーにより、デジタルカメラ１００に取り付けられたタッチバー８２への操作が行われると、タッチバー８２で出力された信号は、タッチバー制御マイコン８２ａへ入力される。
【０１０１】
タッチバー制御マイコン８２ａにより、各種操作を検知し検知された信号がシステム制御部５０に入力され、デジタルカメラ１００の撮影パラメータの変更等を行う。
【０１０２】
電源制御部８０は、電池検出回路、ＤＣ−ＤＣコンバータ、通電するブロックを切り替えるスイッチ回路等により構成され、電池の装着の有無、電池の種類、電池残量の検出を行う。
【０１０３】
また、電源制御部８０は、その検出結果及びシステム制御部５０の指示に基づいてＤＣ−ＤＣコンバータを制御し、必要な電圧を必要な期間、記録媒体２００を含む各部へ供給する。
【０１０４】
電源部３０は、アルカリ電池やリチウム電池等の一次電池やＮｉＣｄ電池やＮｉＭＨ電池、Ｌｉ電池等の二次電池、ＡＣアダプター等からなる。
【０１０５】
記録媒体Ｉ／Ｆ１８は、メモリカードやハードディスク等の記録媒体２００とのインターフェースである。
【０１０６】
記録媒体２００は、撮影された画像を記録するためのメモリカード等の記録媒体であり、半導体メモリや磁気ディスク等から構成される。
【０１０７】
通信部５４は、無線または有線ケーブルによって接続し、映像信号や音声信号の送受信を行う。
【０１０８】
通信部５４は無線ＬＡＮ（Ｌｏｃａｌ  Ａｒｅａ  Ｎｅｔｗｏｒｋ）やインターネットとも接続可能である。
【０１０９】
また、通信部５４は、Ｂｌｕｅｔｏｏｔｈ（登録商標）やＢｌｕｅｔｏｏｔｈ  Ｌｏｗ  Ｅｎｅｒｇｙでも外部機器と通信可能である。
【０１１０】
通信部５４は撮像部２２で撮像した画像（ＬＶ画像を含む）や、記録媒体２００に記録された画像を送信可能であり、また、外部機器から画像やその他の各種情報を受信することができる。
【０１１１】
姿勢検知部５５は重力方向に対するデジタルカメラ１００の姿勢を検知する。
【０１１２】
姿勢検知部５５で検知された姿勢に基づいて、撮像部２２で撮影された画像が、デジタルカメラ１００を横に構えて撮影された画像であるか、縦に構えて撮影された画像であるかを判別可能である。
【０１１３】
システム制御部５０は、姿勢検知部５５で検知された姿勢に応じた向き情報を撮像部２２で撮像された画像の画像ファイルに付加したり、画像を回転して記録したりすることが可能である。
【０１１４】
姿勢検知部５５としては、加速度センサーやジャイロセンサーなどを用いることができる。
【０１１５】
姿勢検知部５５である、加速度センサーやジャイロセンサーを用いて、デジタルカメラ１００の動き（パン、チルト、持ち上げ、静止しているか否か等）を検知することも可能である。
【０１１６】
接眼検知部５７はファインダーの接眼部１６に対する目（物体）の接近（接眼）および離反（離眼）を検知する（接近検知）、接眼検知センサーである。
【０１１７】
システム制御部５０は、接眼検知部５７で検知された状態に応じて、表示部２８とＥＶＦ２９の表示（表示状態）／非表示（非表示状態）を切り替える。
【０１１８】
より具体的には、少なくとも撮影待機状態で、かつ、表示先の切替が自動切替である場合において、非接眼中は表示先を表示部２８として表示をオンとし、ＥＶＦ２９は非表示とする。
【０１１９】
また、接眼中は表示先をＥＶＦ２９として表示をオンとし、表示部２９は非表示とする。
【０１２０】
接眼検知部５７は、例えば赤外線近接センサーを用いることができ、ＥＶＦ２９を内蔵するファインダーの接眼部１６への何らかの物体の接近を検知することができる。
【０１２１】
物体が接近した場合は、接眼検知部５７の投光部（図示せず）から投光した赤外線が反射して赤外線近接センサーの受光部（図示せず）に受光される。
【０１２２】
受光された赤外線の量によって、物体が接眼部１６からどの距離まで近づいているか（接眼距離）も判別することができる。
【０１２３】
このように、接眼検知部５７は、接眼部１６への物体の近接距離を検知する接眼検知を行う。
【０１２４】
非接眼状態（非接近状態）から、接眼部１６に対して所定距離以内に近づく物体が検出された場合に、接眼されたと検出するものとする。
【０１２５】
接眼状態（接近状態）から、接近を検知していた物体が所定距離以上離れた場合に、離眼されたと検出するものとする。
【０１２６】
接眼を検出する閾値と、離眼を検出する閾値は例えばヒステリシスを設けるなどして異なっていてもよい。
【０１２７】
また、接眼を検出した後は、離眼を検出するまでは接眼状態であるものとする。離眼を検出した後は、接眼を検出するまでは非接眼状態であるものとする。
【０１２８】
なお、赤外線近接センサーは一例であって、接眼検知部５７には、接眼とみなせる目や物体の接近を検知できるものであれば他のセンサーを採用してもよい。
【０１２９】
タッチパネル７０ａと表示部２８とは一体的に構成することができる。
【０１３０】
例えば、タッチパネル７０ａは光の透過率が表示部２８の表示を妨げないように構成され、表示部２８の表示面の上層に取り付けられる。
【０１３１】
そして、タッチパネル７０ａにおける入力座標と、表示部２８の表示画面上の表示座標とを対応付ける。
【０１３２】
これにより、あたかもユーザーが表示部２８上に表示された画面を直接的に操作可能であるかのようなＧＵＩ（グラフィカルユーザーインターフェース）を提供できる。
【０１３３】
システム制御部５０は、タッチバー８２への以下の操作、あるいは状態を検出できる。
・タッチバー８２にタッチしていなかった指が新たにタッチバー８２にタッチしたこと。すなわち、タッチの開始（以下、タッチダウン（Ｔｏｕｃｈ−Ｄｏｗｎ）と称する）。
・タッチバー８２を指でタッチしている状態であること（以下、タッチオン（Ｔｏｕｃｈ−Ｏｎ）と称する）。
・タッチバー８２を指でタッチしたまま移動していること（以下、タッチムーブ（Ｔｏｕｃｈ−Ｍｏｖｅ）と称する）。
・タッチバー８２へタッチしていた指を離したこと。すなわち、タッチの終了（以下、タッチアップ（Ｔｏｕｃｈ−Ｕｐ）と称する）。
・タッチバー８２に何もタッチしていない状態（以下、タッチオフ（Ｔｏｕｃｈ−Ｏｆｆ）と称する）。
【０１３４】
タッチダウンが検出されると、同時にタッチオンであることも検出される。
【０１３５】
タッチダウンの後、タッチアップが検出されない限りは、通常はタッチオンが検出され続ける。タッチムーブが検出されるのもタッチオンが検出されている状態である。
【０１３６】
タッチオンが検出されていても、タッチ位置が移動していなければタッチムーブは検出されない。
【０１３７】
タッチしていた全ての指やペンがタッチアップしたことが検出された後は、タッチオフとなる。
【０１３８】
これらの操作・状態や、タッチバー８２上に指がタッチしている位置座標は内部バスを通じてシステム制御部５０に通知される。
【０１３９】
そして、システム制御部５０は通知された情報に基づいてタッチバー８２上にどのような操作（タッチ操作）が行なわれたかを判定する。
【０１４０】
タッチムーブについてはタッチバー８２上で水平方向（左右方向）の移動を検知する。所定距離以上を移動したことが検出された場合はスライド操作が行なわれたと判定するものとする。
【０１４１】
タッチパネル上に指をタッチし、スライド操作することなく、所定時間以内にタッチを離す操作があった場合に、タップ操作が行われたと判定するものとする。
【０１４２】
タッチバー８２は、本実施形態では、静電容量方式のタッチセンサであるものとする。ただし、抵抗膜方式、表面弾性波方式、赤外線方式、電磁誘導方式、画像認識方式、光センサー方式等、別の方式のタッチセンサであってもよい。
【実施例１】
【０１４３】
以下、図３から図４を参照して、本発明の実施例について説明する。
【０１４４】
（デジタルカメラ１００の背面図）
図３は、デジタルカメラ１００の背面図である。図３ａはデジタルカメラ１００を背面方向から見た外観図であり、デジタルカメラ１００の外観である上カバー３１０と、背面カバー３１１の間にタッチバー８２が配置されている。
【０１４５】
図３ｂは図３ａの点線で囲んだエリアの拡大図であり、タッチバー８２及び上カバー３１０を非表示にした図である。
【０１４６】
図３ａに示すように、親指待機位置３００は、一般的にグリップ９０を背面側に投影した位置の上部に存在し、ラバー等を貼付する事でその位置を示すと共に、グリップ感を高めていることが多い。
【０１４７】
図３ｂのように、検知手段３０２のタッチ検知面は、スライド操作の方向において、順に、第１のタッチ検知面３０２ａ、第２のタッチ検知面３０２ｂ、第３のタッチ検知面３０２ｃに分割されている。
【０１４８】
検知手段３０２のタッチ検知面のスライド操作の方向の長さをＷ１、第２のタッチ検知面３０２ｂのスライド操作の方向の長さをＷ２としたとき、
１．４≦Ｗ１／Ｗ２≦６．０
の関係を満たしている。
【０１４９】
図３ｂより、タッチバー８２の裏にはフレキシブルプリント配線板３０１（以下「フレキシブル基板３０１」と記す）が配置される。
【０１５０】
フレキシブル基板３０１は不図示の両面テープ等により、タッチバー８２に貼り付けられて固定される。
【０１５１】
なお、タッチバー８２に付図時のボスを設け、フレキシブル基板３０１に位置決め穴３０３を設けることで、より高精度にフレキシブル基板３０１をタッチバー８２に貼り付ける事が可能となる。
【０１５２】
フレキシブル基板３０１には、静電容量方式により検知を行うタッチセンサ電極３０２が銅等の導体により形成される。
【０１５３】
これにより、ユーザーが指等でタッチバー８２に触れることで、タッチバー８２に固定されているフレキシブル基板３０１上のタッチセンサ電極３０２が静電容量の変化を検知することで、各種操作が可能となる。
【０１５４】
なお、タッチ検知の方式は静電容量方式に限定されず、抵抗膜方式、表面弾性波方式、赤外線方式などでもよい。
【０１５５】
図４はタッチバー８２を備えた上カバー３１０を内側からみた図である。図４は図３に対して、フレキシブル基板３０１を内側からみた図でもある。
【０１５６】
そのため、フレキシブル基板３０１において、タッチバー８２側（奥側）にタッチセンサ電極３０２が配置されている。
【０１５７】
タッチセンサ電極３０２から出力されたタッチ検知信号は、タッチバー制御マイコン８２ａへ入力され、タップ操作やスライド操作等を検知する。
【０１５８】
（タッチバー８２を用いた操作）
次に、図５から図７を参照して、タッチバー８２を用いた操作について詳細に説明する。
【０１５９】
図５はタップ操作の概念図であり、図６はスライド操作の概念図であり、図７は全面押し操作の概念図である。
【０１６０】
図５から図７に共通して、タッチバー８２及び、フレキシブル基板３０１の外形は省き、タッチセンサ電極３０２と、ユーザーが操作を行う操作指５００のみを表している。
【０１６１】
また、タッチセンサ電極３０２は接眼部１６に近い方から順番に、第１のタッチセンサ電極３０２ａ、第２のタッチセンサ電極３０２ｂ、第３のタッチセンサ電極３０２ｃの３つの電極で構成される。
【０１６２】
タッチセンサ電極３０２が、ユーザーが操作を行う操作指５００による静電容量の変化を検知することで、タップ操作、スライド操作、全面押し操作が可能となる。
【０１６３】
実際は、タッチセンサ電極３０２の手前に配置されるタッチバー８２にユーザーの操作指５００が触れることでタッチ検知を行う。
【０１６４】
しかし以下では、タップ操作、スライド操作、全面押し操作の説明として簡略化するために、タッチセンサ電極３０２に操作指５００が離れることでタッチ検知を行うものとして説明する。
【０１６５】
（タップ操作）
図５はタップ操作の概念図である。図５ａは左タップ操作の概念図であり、図５ｂは右タップ操作の概念図である。
【０１６６】
図５ａに示すように、第１のタッチセンサ電極３０２ａにユーザーの操作指５００が接触し、離れる事で左タップ操作として検知する。
【０１６７】
また同様に、図５ｂに示すように、第３のタッチセンサ電極３０２ｃにユーザーの操作指５００が接触し、離れる事で右タップ操作として検知する。
【０１６８】
本実施例では左タップ操作、右タップ操作の２つのタップ操作を説明したが、これに限らず、第２のタッチセンサ電極３０２ｂを用いて、中央タップ操作を設けてもよい。
【０１６９】
（スライド操作）
図６はスライド操作の概念図である。図６ａは右スライド操作の概念図であり、図６ｂは左スライド操作の概念図である。
【０１７０】
図６ａに示すように、タッチセンサ電極３０２において操作指５００が第１のタッチセンサ電極３０２ａに触れた後、第３のタッチセンサ電極３０２ｃの方向へ指を移動させる操作を右スライド操作として検知する。
【０１７１】
また同様に、図６ｂに示すように、操作指５００が第３のタッチセンサ電極３０２ｃに触れた後、第１のタッチセンサ電極３０２ａへ指を移動させる操作を左スライド操作として検知する。
【０１７２】
スライド操作の開始位置は第１のタッチセンサ電極３０２ａや第３のタッチセンサ電極３０２ｃに限らず、第２のタッチセンサ電極３０２ｂへの接触でスライド操作が始まってもよい。
【０１７３】
つまり、操作指５００が第２のタッチセンサ電極３０２ｂに触れた後、第３のタッチセンサ電極３０２ｃ方向への移動を右スライド操作と検知してもよい。
【０１７４】
ユーザの操作指５００が第２のタッチセンサ電極３０２ｂに触れた後、第１のタッチセンサ電極３０２ａ方向への移動を左スライド操作と検知してもよい。
【０１７５】
（全面押し操作）
図７は全面押し操作の概念図である。
【０１７６】
図７に示すように、第１のタッチセンサ電極３０２ａ、第２のタッチセンサ電極３０２ｂ、第２のタッチセンサ電極３０２ｃの全てのタッチセンサ電極３０２が操作指５００で一度に触れられると全面押し操作として検知される。
【０１７７】
タップ操作、スライド操作の操作指５００はタッチセンサ電極３０２に対して略垂直に押されるのに対して、全面押し操作の操作指５００は、タッチセンサ電極３０２に対して略平行に押されるものとする。
【０１７８】
つまり、タップ操作やスライド操作と比べると比較的入力しづらい操作と言え、ユーザーが意識して操作しないとできない操作である。
【０１７９】
全面押し操作は図７に示すように必ずしも全てのタッチセンサ電極３０２に触れなければならない訳ではない。
【０１８０】
第１のタッチセンサ電極３０２ａの一部及び、第３のタッチセンサ電極３０２ｃの一部が触れられていなくても、全面押し操作として認識してもよい。
【０１８１】
（タッチセンサ電極３０２の具体的なサイズ）
次に図８、図９を用いてタッチセンサ電極３０２の具体的なサイズについて説明する。図８は不用意な全面押し操作防止の電極サイズの概念図である。
【０１８２】
タッチセンサ電極３０２の長辺長さをＷ１とする。
【０１８３】
電極中央である第２のタッチセンサ電極３０２ｂの長辺長さをＷ２、タッチセンサ電極３０２の短辺長さをＷ３とする。
【０１８４】
第２のタッチセンサ電極３０２ｂが、第１のタッチセンサ電極３０２ａとオーバラップする部分をオーバラップ長さＷ４とし、第２のタッチセンサ電極３０２ｂが、第３のタッチセンサ電極３０２ｃとオーバラップする部分をオーバラップ長さＷ５とする。
【０１８５】
図５から図７ではタップ操作、スライド操作、全面押し操作を操作指５００とタッチセンサ電極３０２を用いて説明した。
【０１８６】
図８では、タップ操作時に操作指５００が実際にタッチセンサ電極３０２に触れる接触面積を、タップ操作時の接触面積９００として説明する。
【０１８７】
なお、タップ操作はタッチバー８２を操作指５００で軽く触れる操作を想定しており、その時の接触面積は略円形形状になる。
【０１８８】
全面押し操作時の誤操作対策の理想的な電極サイズは、“タップ操作時に押したい一部の電極しか触れないサイズ”が重要である。
【０１８９】
つまり、第２のタッチセンサ電極３０２ｂをタップした際に、タップ操作時の接触面積９００が両隣の第１のタッチセンサ電極３０２ａ及び第３のタッチセンサ電極３０２ｃにできるだけ接触しないことが必要である。
【０１９０】
そこで、タップ操作時の接触面積９００と、第２のタッチセンサ電極３０２ｂの長辺長さＷ２の関係が重要となる。
【０１９１】
本実施例ではカメラボディ１００を把持しながら操作を行うため、操作指５００は親指を想定している。
【０１９２】
タップ操作は操作指５００である親指で行うため、親指の幅がＷ２と密接に関係がある。
【０１９３】
日本人の親指の幅の平均が約２０ｍｍである。
【０１９４】
そのため、その４分の１の５ｍｍがタップ操作時の接触面積９００と想定し、第２のタッチセンサ電極３０２ｂの長辺長さＷ２は５ｍｍ以上であるとする。
【０１９５】
なお、日本人の平均サイズを参考に第２のタッチセンサ電極３０２ｂの長辺長さＷ２を決定したが、指の大きい外国の人であっても第２のタッチセンサ電極３０２ｂの長辺長さＷ２は５ｍｍ以上あればよい。
【０１９６】
また、操作指５００を親指で想定したが、タッチバー８２を上カバー３１０の上面に配置して、人差し指で操作を行ってもよい。
【０１９７】
その場合も、Ｗ２は５ｍｍ以上であれば問題なく操作が可能となる。
【０１９８】
なお、タッチセンサ電極３０２の長辺長さＷ２の理想的な長さとしては、５ｍｍ≦Ｗ２≦２０ｍｍの範囲が望ましい。
【０１９９】
図９は全面押し操作可能な電極サイズの概念図である。
【０２００】
先程と同様に、タッチセンサ電極３０２の長辺長さをＷ１とし、電極中央である第２のタッチセンサ電極３０２ｂの長辺長さをＷ２とし、タッチセンサ電極３０２の短辺長さをＷ３とする。
【０２０１】
第２のタッチセンサ電極３０２ｂが、第１のタッチセンサ電極３０２ａとオーバラップする部分をオーバラップ長さＷ４とし、第２のタッチセンサ電極３０２ｂが、第３のタッチセンサ電極３０２ｃとオーバラップする部分をオーバラップ長さＷ５とする。
【０２０２】
図９では、全面押し操作時に操作指５００が実際にタッチセンサ電極３０２に触れる接触面積を、全面押し操作時の接触面積９０１として説明する。
【０２０３】
なお、全面押し操作はタッチバー８２を操作指５００の全体で押す動作を想定しており、その時の接触面積は略楕円形状になる。
【０２０４】
操作性の高い全面押し操作の理想的な電極サイズは、“ユーザーが全面押し操作を行った際に、容易に全ての電極に触れられるサイズ”が重要である。
【０２０５】
つまり、ユーザーが全面押し操作をした際に、全面押し操作時の接触面積９０１がタッチセンサ電極３０２を覆う必要がある。
【０２０６】
そこで、全面押し操作時の接触面積９０１とタッチセンサ電極３０２の長辺長さＷ１が重要となる。
【０２０７】
本実施例ではカメラボディ１００を把持しながら操作を行うため、操作指５００は親指を想定している。
【０２０８】
全面押し操作は、全面押し操作時の接触面積９０１がタッチセンサ電極３０２を覆う必要があるが、操作指５００を用いて、広い面積を確実に接触させるには操作指５００の第１関節までが安定して押せる長さである。
【０２０９】
つまり、親指の第１関節までが本実施例においては安定してタッチセンサ電極３０２を押せる長さであると言える。
【０２１０】
日本人の親指の平均長さが６０ｍｍであるため、第１関節を親指の長さの半分である３０ｍｍと想定して、タッチセンサ電極３０２の長辺長さＷ１は３０ｍｍ以下であるとする。
【０２１１】
なお、日本人の親指の平均サイズを参考にタッチセンサ電極３０２の長辺長さＷ１を決定したが、指の大きい外国の人の場合であってもタッチセンサ電極３０２の長辺長さＷ１は３０ｍｍ以下であればよい。
【０２１２】
また、操作指５００を親指で想定したが、タッチバー８２を上カバー３１０の上面に配置して、人差し指で操作を行ってもよい。
【０２１３】
その場合も、Ｗ１は３０ｍｍ以下であれば問題なく操作が可能となる。
【０２１４】
なお、タッチセンサ電極３０２の長辺長さＷ１の理想的な長さとしては、７ｍｍ≦Ｗ１≦３０ｍｍの範囲が望ましい。
【０２１５】
以上より、タッチセンサ電極３０２のサイズは、タッチセンサ電極３０２の長辺長さＷ１と、第２のタッチセンサ電極３０２ｂの長辺長さＷ２が、１．４≦Ｗ１／Ｗ２≦６の関係をみたせればよい。
【０２１６】
本実施例では、タッチ操作及びスライド操作が、第１の所定面積以上、且つ第１の所定面積よりも大きい第２の所定面積以下の面積でタッチ検知面３０２に指で接触した場合、第１の機能を実行している。
【０２１７】
タッチ操作が、第２の所定面積より大きい面積でタッチ検知面３０２に指で接触した場合（全面押し操作）、第１の機能と異なる第２の機能を実行している。
【０２１８】
次に、タッチセンサ電極３０２の短辺長さＷ３及び、オーバラップ長さＷ４、Ｗ５について説明する。
【０２１９】
なお、Ｗ４及びＷ５はそれぞれ同じ値でもよいし、別々の値でもよい。以下ではＷ４＝Ｗ５として説明する。
【０２２０】
一般的にタッチセンサ電極３０２の短辺長さＷ３が大きければ大きいほどタッチセンサ電極３０２の面積も大きくなり、検知に対しては有利である。
【０２２１】
しかし、タッチセンサ電極３０２の短辺長さＷ３の拡大はカメラボディ１００のサイズ拡大につながってしまうため、タッチセンサ電極３０２の短辺長さＷ３もある程度小さい方が望ましい。
【０２２２】
タッチセンサ電極３０２は一次元の検知を行う電極である。そのため、検知方向（スライド操作の方向）である第２のタッチセンサ電極３０２ｂの長辺長さＷ２とタッチセンサ電極３０２の短辺長さＷ３の関係として、Ｗ２≧Ｗ３の関係が望ましい。
【０２２３】
更に具体的にいうと、Ｗ３は２ｍｍ≦Ｗ３＜２０ｍｍの範囲が望ましい。
【０２２４】
この関係であれば、スライドなどの操作性を損なうことなく、タッチセンサ電極３０２の短辺長さＷ３を極力小さくする事が可能となる。
【０２２５】
次に、オーバラップ長さＷ４と、タッチセンサ電極３０２の短辺長さＷ３の関係として、１．８≦Ｗ３／Ｗ４≦２．２の関係が望ましい。つまり、オーバラップ部の角度は略９０°であるとよい。
【０２２６】
つまり、第２のタッチ検知面３０２ｂと第１のタッチ検知面３０２ａは、スライド操作の方向にオーバラップしている。
【０２２７】
第２のタッチ検知面３０２ｂと第１のタッチ検知面３０２ａのスライド操作の方向のオーバラップ量をＷ４、前記第２のタッチ検知面３０２ｂのスライド操作の方向と直交する方向の長さＷ３とする。そのとき、
１．８≦Ｗ３／Ｗ４≦２．２
の関係を満たすことが好ましい。
【０２２８】
Ｗ４及びＷ５が別々の値の場合は以下のようになる。
【０２２９】
第２のタッチ検知面３０２ｂと第３のタッチ検知面３０２ｃは、スライド操作の方向にオーバラップしている。
【０２３０】
第２のタッチ検知面３０２ｂと第３のタッチ検知面３０２ｃのスライド操作の方向のオーバラップ量をＷ５、第２のタッチ検知面３０２ｂのスライド操作の方向と直交する方向の長さＷ３とする。そのとき、
１．８≦Ｗ３／Ｗ５≦２．２
の関係を満たす。
【０２３１】
本実施例では、検知手段３０２のタッチ検知面のスライド操作の方向の長さをＷ１、第２のタッチ検知面３０２ｂのスライド操作の方向の長さをＷ２としたとき、
１．４≦Ｗ１／Ｗ２≦６．０
の関係を満たしている。
【０２３２】
より好ましくは、２≦Ｗ１／Ｗ２≦３の関係が望ましい。
【０２３３】
つまり第２のタッチセンサ電極３０２ｂの長辺長さＷ２が、タッチセンサ電極３０２の長辺長さＷ１の３分の１から、２分の１の長さがサイズ的に好ましい。
【０２３４】
具体的には、タッチセンサ電極３０２の長辺長さＷ１を２０ｍｍ、第２のタッチセンサ電極３０２ｂの長辺長さＷ２を９ｍｍとした。
【０２３５】
タッチセンサ電極３０２の短辺長さＷ３を５．６ｍｍ、オーバラップ長さＷ４を２．８ｍｍとして、タッチセンサ電極３０２を構成する。
【０２３６】
次に、タッチセンサ電極３０２の表面積をＳ、タッチセンサ電極３０２ａの表面積をＳ１、タッチセンサ電極３０２ｂの表面積をＳ２、タッチセンサ電極３０２ｃの表面積をＳ３として、電極の表面積の関係について説明する。
【０２３７】
タッチセンサ電極３０２の表面積Ｓは、１４ｍｍ＾２≦Ｓ≦６００ｍｍ＾２の範囲であり、タッチセンサ電極３０２ｂの表面積Ｓ２は、１０ｍｍ＾２≦Ｓ２≦４００ｍｍ＾２の関係が望ましい。
【０２３８】
なお、実施例１ではＳ１とＳ３は同じ大きさであるが、これに限らず異なる大きさでもよい。
【０２３９】
なお、上記では操作する指のサイズを参考に電極を規定したが、別の方法を参考に第２のタッチセンサ電極３０２ｂの長辺長さＷ２を決めてもよい。
【０２４０】
例えば、表示部２８にタッチパネル７０ａを備えた場合、表示部上に長方形形状をしたタッチ可能なタッチアイコンが表示される。
【０２４１】
タッチアイコンの短辺の最小幅よりも、第２のタッチセンサ電極３０２ｂの長辺長さＷ２が長いとしてもよい。
【０２４２】
タップ操作及び全面押し操作の判定は、タッチセンサ電極３０２のサイズだけではなく、検知される静電容量の閾値も合わせて調整することで、全面押し操作等の判定を行うとより効果的である。
【０２４３】
第２の機能である全面押し操作の判定閾値には、第１の機能であるタップ操作の判定閾値よりも高くなっている。
【実施例２】
【０２４４】
以下、図１０を参照して、本発明の実施例２について説明する。
【０２４５】
図１、図２の構成は、実施例１と同じなので省略する。
【０２４６】
図１０は、本実施例の撮像装置としてのデジタルカメラ１００におけるタッチバー８２の配置位置と内部構成を示した図である。
【０２４７】
図１０（ａ）に示すように、タッチバー８２は、デジタルカメラ１００の背面側に接眼部１６に隣接して配置されている。
【０２４８】
また、タッチバー８２は、サブ電子ダイヤル７３、及び右手でグリップ９０を握ってカメラを保持した際に親指の位置となる親指の待機位置３００とも隣接して配置されている。
【０２４９】
親指の待機位置３００は、一般的にグリップ９０を背面側に投影した位置の上部に存在し、図１０（ａ）に示すように、ラバー等を貼付する事でその位置を示すと共にグリップ感を高めている事が多い。
【０２５０】
タッチバー８２は、親指待機位置３００に隣接することによって、前述の通りグリップ部９０を握った状態で右手の親指でタップ操作、左右（Ｘ軸方向）へのスライド操作などが行いやすい配置となっている。
【０２５１】
タッチバー８２は、操作に応じてそれぞれ機能を割り当てる事が可能である。
【０２５２】
例えば、操作部材のメイン電子ダイヤル７１やサブ電子ダイヤル７３で設定可能な露出関係の設定値を変更する機能を割り当てることができる。
【０２５３】
露出関係の設定値はシャッター速度（Ｔｖ）や絞り値（Ａｖ）、ＩＳＯ感度、オート露出モード時の露出補正値である。
【０２５４】
また、タッチバー８２は、露出関係の設定値以外にもホワイトバランス設定、ＡＦモード、ドライブモードの設定、再生画像送りが割り当て可能である。
【０２５５】
また、動画撮影モード時にはマイクの録音レベル調整や動画再生の早送りや逆戻し機能を割り当てすることができる。
【０２５６】
例えば、ＩＳＯ感度設定の機能をタッチバー８２に割り当てた場合を説明する。
【０２５７】
例えば、左半分の位置においてタップ操作が行われた場合には、デジタルカメラ１００の撮影ＩＳＯ感度を１／３段低感度に設定する機能が割り当てられる。
【０２５８】
右半分の位置座標においてタップ操作が行われた場合には、撮影ＩＳＯ感度を１／３段高感度に設定する機能が割り当てられる。
【０２５９】
また、スライド操作が行われた場合には、デジタルカメラ１００の撮影ＩＳＯ感度をスライドの１段階毎に１／３段ずつ増減する機能が割り当てられる。
【０２６０】
これらの割り当てられる機能はユーザーによってカスタマイズ可能である。
【０２６１】
例えば、左半分の位置においてタップ操作が行われた場合には、デジタルカメラ１００の撮影ＩＳＯ感度を自動設定にする機能が割り当てられる。
【０２６２】
右半分の位置座標においてタップ操作が行われた場合には、撮影ＩＳＯ感度を最高ＩＳＯ感度に設定する機能を割り当てるといった変更が可能である。
【０２６３】
この時、ユーザーの操作意図に対して正確に操作判定が行われなければ誤操作となってしまう。
【０２６４】
しかしながら、タッチバー８２の親指の待機位置３００からの距離や機器上の他の部材との配置関係によって、意志一致率が下がってしまうことがある。
【０２６５】
例えば、親指待機位置３００からの距離によってタッチしやすさが変化してしまう。
【０２６６】
具体的には、タッチバー８２は、親指待機位置３００近傍ではタッチしやすく、そこから接眼部１６に近傍へと近づくほどに親指を伸ばしていく事になりタッチしにくくなっていく。
【０２６７】
また、接眼部１６は、前述の通り内部のＥＶＦ２９に表示された映像を視認する接眼ファインダーである。
【０２６８】
しかしながら、快適なアイポイントを確保する目的や接眼状態で鼻が表示部２８に接触しにくくする目的のために外装側（背面側）に飛び出した凸形状となっている。
【０２６９】
本実施例では、この接眼部１６はタッチバー８２のタッチ面に対してＺ方向に１５ｍｍ以上飛び出ている。
【０２７０】
このため、タッチバー８２は、接眼部１６の隣接端へタッチ入力が行いにくくなっている。
【０２７１】
特にスライド操作は、端から端まで入力が行えない場合には設定値の変更段数が減ってしまうためこの影響が顕著である。
【０２７２】
ここで、本実施例では１５ｍｍ以上の比較的大きな凸形状を例示したが、およそ１ｍｍ以上の凸形状があった場合には操作性への影響が表れてしまうと考えられる。
【０２７３】
また、サブ電子ダイヤル７３は、前述の通り回転操作部材であり、右手親指で水平方向（Ｘ軸方向）に回転させる事によって複数段階の入力が行えるが、この操作時、隣接するタッチバー８２に意図せず触れてしまう可能性がある。
【０２７４】
特に、大量にカーソルの移動や値の変更を行いたい場合には、繰り返し回転操作を行う事となり、勢いを付けて操作を行う傾向となる。
【０２７５】
そのため、サブ電子ダイヤル７３との隣接部に操作指が接触してしまう可能性が高まってしまう。
【０２７６】
そこで、親指待機位置３００からの距離や機器上の他の部材との配置関係に応じて、タッチしやすさの観点からタッチ入力の誤操作の低減を考える。
【０２７７】
具体的には、タッチ操作の検知手段であるタッチセンサ電極の面積を相対的に変更する事によって誤操作を低減する。
【０２７８】
図１０（ｂ）は、本実施例におけるタッチ操作検知手段の形状を示した図である。
【０２７９】
図１０（ｂ）に示すように、タッチバー８２の内部には、タッチ操作の検知手段であるタッチセンサ電極３０２を備えている。
【０２８０】
本実施例において、タッチセンサ電極（タッチ検知面）は、接眼部１６側から３０２ａ、３０２ｂ、３０２ｃの３つに分割されて配置されている。
【０２８１】
ここで、本実施例では、タッチセンサ電極（タッチ検知面）の分割数を３つで説明するが、３つに限定されるものではない。
【０２８２】
タッチセンサ電極の分割数は、２分割、４分割以上でも良い。
【０２８３】
各タッチセンサ電極は、フレキシブル基板３０１に銅箔等で構成され、フレキシブル基板上の銅箔配線（不図示）によりシステム制御部５０まで接続される。
【０２８４】
前述の通り、システム制御部５０は、タッチバー８２の出力情報、すなわちタッチセンサ電極３０２ａ、３０２ｂ、３０２ｃから入力される情報に基づいて位置座標を算出する。
【０２８５】
そして、操作、あるいは状態からタッチバー８２上にどのような操作が行なわれたかを判定する。
【０２８６】
図１０（ｂ）より、タッチセンサ電極３０２の長辺長さをＷ１とする。
【０２８７】
電極中央である第２のタッチセンサ電極３０２ｂの長辺長さをＷ２、タッチセンサ電極３０２の短辺長さをＷ３とする。
【０２８８】
第２のタッチセンサ電極３０２ｂが、第１のタッチセンサ電極３０２ａとオーバラップする部分をオーバラップ長さＷ４とし、第２のタッチセンサ電極３０２ｂが、第３のタッチセンサ電極３０２ｃとオーバラップする部分をオーバラップ長さＷ５とする。
【０２８９】
また、タッチセンサ電極３０２の表面積をＳ、タッチセンサ電極３０２ａの表面積をＳ１、タッチセンサ電極３０２ｂの表面積をＳ２、タッチセンサ電極３０２ｃの表面積をＳ３とする。
【０２９０】
次に、本実施例において望ましい電極の表面積の関係について説明する。タッチセンサ電極３０２ａの表面積をＳ１、タッチセンサ電極３０２ｂの表面積をＳ２、タッチセンサ電極３０２ｃの表面積をＳ３とすると、Ｓ１≧Ｓ２≧Ｓ３の関係が望ましい。
【０２９１】
また、タッチセンサ電極３０２の表面積Ｓは、１４ｍｍ＾２≦Ｓ≦６００ｍｍ＾２の範囲であり、タッチセンサ電極３０２ｂの表面積Ｓ２は、１０ｍｍ＾２≦Ｓ２≦４００ｍｍ＾２の関係が望ましい。
【０２９２】
具体的には、図１０（ｂ）に示すように、タッチセンサ電極３０２ａはタッチセンサ電極３０２ｃよりも相対的に面積が大きくなっており、入力が行いやすくなっている。
【０２９３】
本実施例においては、タッチセンサ電極３０２ａは約３６ｍｍ２、タッチセンサ電極３０２ｂは約３４ｍｍ２、タッチセンサ電極３０２ｃは約２６ｍｍ２である。
【０２９４】
そして、タッチセンサ電極３０２ｃに対してタッチセンサ電極３０２ａは、１．３〜１．４倍の面積に設定されている。
【０２９５】
また、タッチセンサ電極の大小関係は３０２ａ＞３０２ｂ＞３０２ｃとなるように設定されている。
【０２９６】
この事により、タッチセンサ電極３０２ａは、親指待機位置３００からの距離、及び接眼部１６への隣接による入力しにくさを相殺して所望の入力しやすさへと調整することが可能である。
【０２９７】
この調整によって、位置座標の算出や操作の判定をユーザーの操作意図に対して正確に行えることとなる。
【０２９８】
また、図１０（ｂ）に示すように、タッチセンサ電極３０２ｃは、サブ電子ダイヤル７３近傍がカットされた形状となっている。
【０２９９】
より具体的には、Ｘ軸方向にサブ電子ダイヤル７３に近づくに従ってカット領域が大きくなる勾配形状によってタッチセンサ電極３０２ｃのカットを行っている。
【０３００】
この事により、タッチセンサ電極３０２ｃは、サブ電子ダイヤル７３に対して勢いを付けた操作を行った場合にも意図しない入力が行われにくくなる。
【０３０１】
更に、フレキシブル基板３０１は、図１０（ｂ）に示すように、タッチセンサ電極３０２ｃを狭めたことにより生じた空き領域に位置決め穴３０３を設けている。
【０３０２】
図１０（ｂ）に示す本実施例のタッチセンサ電極３０２においては、タッチセンサ電極３０２ｂから隣り合うタッチセンサ電極３０２ａ、及び３０２ｃに対して、くの字の勾配形状が形成されている。
【０３０３】
このことによりスライド操作を行った際にタッチセンサ電極の静電容量の入力値が徐々に隣の電極へと移っていきリニアリティを確保した操作が行える。
【０３０４】
図１０（ｂ）に示す本実施例のタッチセンサ電極３０２においては、くの字の勾配形状の頂点がタッチセンサ電極３０２のＹ方向略中央に配置されており、かつ頂点の角度Θ１及びΘ２が略９０度に設定されている。
【０３０５】
ただし、本形状は、本実施例のようにＸ方向に横長の長方形形状の電極であった場合において好適な設定値であり、電極が正方形形状に近い場合には頂点の角度は、鈍角に設定すべきである。
【０３０６】
図１０（ｂ）のように、サブ電子ダイヤル７３は、タッチバー８２のタッチ面４０１に対して撮像装置の前面側（Ｚ方向）に凹んだ位置に設けられている。
【０３０７】
しかしながら、タッチバー８２のタッチ面４０１と右手親指でサブ電子ダイヤル７３を回動する接触面のＺ方向の段差は小さい。
【０３０８】
よって、サブ電子ダイヤル７３の操作時、隣接するタッチバー８２に意図せず触れてしまう可能性がある。
【０３０９】
図１０（ｂ）の本実施例では、タッチバー８２のタッチ面４０１に対して撮像装置の前面側（Ｚ方向）に凹んだ位置に設けられている。
【０３１０】
しかし、逆に、タッチバー８２のタッチ面４０１に対して撮像装置の背面側（Ｚ方向）に突出した位置に設けられている形態も本発明に含まれる。
【０３１１】
タッチバー８２のタッチ面４０１と右手親指でサブ電子ダイヤル７３を回動する接触面の背面側（Ｚ方向）に突出する段差が小さい。
【０３１２】
よって、サブ電子ダイヤル７３の操作時、隣接するタッチバー８２に意図せず、右手親指が触れてしまう可能性があるためである。
【０３１３】
サブ電子ダイヤル７３は、Ｙ方向を回転軸として、Ｘ方向に一軸に回転される回転操作部材である。
【０３１４】
撮像装置（電子機器）の背面側から見た場合、第１の操作部材としてのタッチバー８２は、表示部としてのタッチパネル２８の操作面とスライド操作の方向（Ｘ方向）に重なっている。
【０３１５】
そして、第１の操作部材としてのタッチバー８２は、表示部としてのタッチパネル２８の操作面とスライド操作の方向と直交する方向（Ｙ方向）に重なっていない。
【０３１６】
撮像装置（電子機器）の背面側から見た場合、タッチバー８２は、タッチパネル２８の操作面に対して前面側（Ｚ方向）に凹んだ位置に配置されている。
【０３１７】
しかしながら、タッチバー８２の操作面（タッチ面）とタッチパネル２８の操作面（タッチ面）のＺ方向の段差は比較的大きくなっている。
【０３１８】
よって、タッチパネル２８の操作時、隣接するタッチバー８２に意図せず、指が触れてしまう可能性は低い。
【０３１９】
本実施例では、タッチバー８２のタッチ面とタッチパネル２８のタッチ面のＺ方向の段差は、タッチバー８２のタッチ面４０１とサブ電子ダイヤル７３を回動する接触面のＺ方向の段差よりも大きくなっている。
【０３２０】
検知手段としてのタッチセンサ電極３０２のタッチ検知面の短辺の中点を通るスライド操作の方向に伸びた線分Ａを定義する。
【０３２１】
その場合、線分Ａ（中心線）を基準として、第Ｎのタッチ検知面３０２ｎの第２の操作部材７３に近い側の領域を第１の領域とする。
【０３２２】
そして、第Ｎのタッチ検知面３０２ｎの表示部（タッチパネル）２８に近い側の領域を第２の領域としたとき、第１の領域の表面積は第２の領域の表面積よりも狭くなっている。
【０３２３】
図１１はタッチセンサ電極３０２の形状例である。
【０３２４】
実施例１及び、実施例２ではタッチ検知面３０２の形状が矩形を例にとって説明したが、これに限らず、タッチセンサ電極３０２は図１１に示すように横楕円形状でもよい。
【０３２５】
図１１に記載のＷ１、Ｗ２、Ｗ３、Ｗ４、Ｗ５の定義は、実施例１、２と同じである。
【０３２６】
以上、本発明の好ましい実施形態について説明したが、本発明はこれらの実施形態に限定されず、その要旨の範囲内で種々の変形及び変更が可能である。
【０３２７】
例えば、ここまで、タッチセンサ電極の大きさに関しては平面的な表面積として捉えて説明してきたが、曲面形状や凹凸形状といった立体的な形状として捉えて入力しやすさを調整しても良い。
【産業上の利用可能性】
【０３２８】
本発明の電子機器は、撮像装置であるデジタルカメラに限定されない。複写機、レーザービームプリンタ（ＬＢＰ）、インクジェットプリンタにも適用できる。
【０３２９】
モニターを把持しながら、タッチ操作／スライド操作でコピー枚数や、コピー用紙のサイズ、を変更するタッチ操作面に本発明のタッチバーを用いても良い。
【０３３０】
また、スマートフォン、タブレットコンピュータ、スマートウォッチ、等の携帯可能な小型のコンピューターであるモバイルにも適用できる。
【０３３１】
モバイルの画面外に本発明のタッチバーを配置して、画像送り、選択などのタッチ操作／スライド操作を可能とできる。
【０３３２】
他にも、自動車、医療機器、ゲームにも適用できる。
【０３３３】
自動車のステアリング部に本発明のタッチバーを配置して、ハンドル操作を行いながら、タッチ操作によるメニュー切り替えや、スライド操作による音量の微調整、カーナビ画面の縮小／拡大などが可能とできる。
【０３３４】
また、医療機器として、ハンディーＸ線の把持部に本発明のタッチバーを配置して、スライドにより操作の微調整が可能とできる。
【符号の説明】
【０３３５】
１  絞り
２  絞り駆動回路
３  ＡＦ駆動回路
４  レンズシステム制御回路
６  通信端子
１０  通信端子
１１  焦点検出部
１５  メモリ制御部
１６  接眼部
１７  ＡＥセンサー
１８  記録媒体Ｉ／Ｆ
１９  Ｄ／Ａ変換器
２２  撮像部
２３  Ａ／Ｄ変換器
２４  画像処理部
２８  表示部
２９  ＥＶＦ
３０  電源部
３２  メモリ
４０  端子カバー
４３  ファインダー外表示部
４４  ファインダー外表示部の駆動回路
５０  システム制御部
５２  システムメモリ
５３  システムタイマー
５４  通信部
５５  姿勢検知部
５６  不揮発性メモリ
５７  接眼検知部
６０  モード切替スイッチ
６１  シャッターボタン
６２  第１シャッタースイッチ
６４  第２シャッタースイッチ
７０  操作部
７０ａ  タッチパネル
７１  メイン電子ダイヤル
７２  電源スイッチ
７３  サブ電子ダイヤル
７４  十字キー
７５  ＳＥＴボタン
７６  動画ボタン
７７  ＡＥロックボタン
７８  拡大ボタン
７９  再生ボタン
８０  電源制御部
８１  メニューボタン
８２  タッチバー
８２ａ  タッチバー制御マイコン
９０  グリップ部（把持部）
１００  デジタルカメラ
１０１  シャッター
１０３  レンズ
１５０  レンズユニット
２００  記録媒体
２０２  蓋
３０１  フレキシブル基板
３０２  タッチセンサ電極
３０２ａ  第１のタッチセンサ電極、左電極
３０２ｂ  第２のタッチセンサ電極、中央電極
３０２ｃ  第３のタッチセンサ電極、右電極
３０３  位置決め穴
３１０  上カバー
３１１  背面カバー
５００  操作指
９００  タップ操作時の接触面積
９０１  全面押し操作時の接触面積
Ｗ１  タッチセンサ電極３０２の長辺長さ
Ｗ２  第２のタッチセンサ電極３０２ｂの長辺長さ
Ｗ３  タッチセンサ電極３０２の短辺長さ
Ｗ４  オーバラップ長さ
【図１】
2020004295.tif 000003
【図２】
2020004295.tif 000004
【図３】
2020004295.tif 000005
【図４】
2020004295.tif 000006
【図５】
2020004295.tif 000007
【図６】
2020004295.tif 000008
【図７】
2020004295.tif 000009
【図８】
2020004295.tif 000010
【図９】
2020004295.tif 000011
【図１０】
2020004295.tif 000012
【図１１】
2020004295.tif 000013
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
タッチ操作及びスライド操作の検知手段を備えた操作部材を有する電子機器であって、
前記タッチ操作が、第１の所定面積以上、且つ前記第１の所定面積よりも大きい第２の所定面積以下の面積で前記検知手段のタッチ検知面に接触した場合、第１の機能を実行し、
前記タッチ操作が、前記第２の所定面積より大きい面積で前記検知手段のタッチ検知面に接触した場合、前記第１の機能と異なる第２の機能を実行し、
前記検知手段のタッチ検知面は、前記スライド操作の方向において、順に、第１のタッチ検知面、第２のタッチ検知面、第３のタッチ検知面に分割され、
前記検知手段のタッチ検知面のスライド操作の方向の長さをＷ１、前記第２のタッチ検知面のスライド操作の方向の長さをＷ２としたとき、
１．４≦Ｗ１／Ｗ２≦６．０
の関係を満たすことを特徴とする電子機器。
【請求項２】
前記検知手段のタッチ検知面のスライド操作の方向の長さＷ１は、
７ｍｍ≦Ｗ１≦３０ｍｍ
を満たすことを特徴とする請求項１に記載の電子機器。
【請求項３】
前記第２のタッチ検知面のスライド操作の方向の長さＷ２は、
５ｍｍ≦Ｗ２≦２０ｍｍ
を満たすことを特徴とする請求項１又は２に記載の電子機器。
【請求項４】
前記第２のタッチ検知面のスライド操作の方向の長さＷ２、前記第２のタッチ検知面のスライド操作の方向と直交する方向の長さＷ３としたとき、
Ｗ２≧Ｗ３
の関係を満たすことを特徴とする請求項１乃至３の何れか一項に記載の電子機器。
【請求項５】
前記第２のタッチ検知面と前記第１のタッチ検知面は、前記スライド操作の方向にオーバラップしており、
前記第２のタッチ検知面と前記第１のタッチ検知面のスライド操作の方向のオーバラップ量をＷ４、前記第２のタッチ検知面のスライド操作の方向と直交する方向の長さＷ３としたとき、
１．８≦Ｗ３／Ｗ４≦２．２
の関係を満たすことを特徴とする請求項１乃至４の何れか一項に記載の電子機器。
【請求項６】
前記第２のタッチ検知面と前記第３のタッチ検知面は、前記スライド操作の方向にオーバラップしており、
前記第２のタッチ検知面と前記第３のタッチ検知面のスライド操作の方向のオーバラップ量をＷ５、前記第２のタッチ検知面のスライド操作の方向と直交する方向の長さＷ３としたとき、
１．８≦Ｗ３／Ｗ５≦２．２
の関係を満たすことを特徴とする請求項１乃至５の何れか一項に記載の電子機器。
【請求項７】
前記検知手段のタッチ検知面のスライド操作の方向の長さをＷ１、前記第２のタッチ検知面のスライド操作の方向の長さをＷ２としたとき、
２≦Ｗ１／Ｗ２≦３
の関係が成り立つことを特徴とする請求項１乃至６の何れか一項に電子機器。
【手続補正２】
【補正対象書類名】明細書
【補正対象項目名】００２１
【補正方法】変更
【補正の内容】
【００２１】
上記目的を達成するために、本発明の電子機器は、タッチ操作及びスライド操作の検知手段を備えた操作部材を有する電子機器であって、
前記タッチ操作が、第１の所定面積以上、且つ前記第１の所定面積よりも大きい第２の所定面積以下の面積で前記検知手段のタッチ検知面に接触した場合、第１の機能を実行し、
前記タッチ操作が、前記第２の所定面積より大きい面積で前記検知手段のタッチ検知面に接触した場合、前記第１の機能と異なる第２の機能を実行し、
前記検知手段のタッチ検知面は、前記スライド操作の方向において、順に、第１のタッチ検知面、第２のタッチ検知面、第３のタッチ検知面に分割され、
前記検知手段のタッチ検知面のスライド操作の方向の長さをＷ１、前記第２のタッチ検知面のスライド操作の方向の長さをＷ２としたとき、
１．４≦Ｗ１／Ｗ２≦６．０
の関係を満たすことを特徴とする。